(57)【要約】  この発明は、装着者（選手）が腕を上げる際に、スムーズに肩を動かすことができる肩パッド付きの上衣を提供する。この発明は、首元（７２）から肩先（７１）に向かって並列する複数の肩パッド（３１、３２）と、この複数の肩パッド（３１、３２）を表側と裏側に区分けする肩生地（２１）と、肩パッド（３１、３２）が並列する方向への折り畳みを許容する、肩生地（２１）に設けられた折り畳み領域（５）とを備え、肩生地（２１）の折り畳み領域（５）の折り畳みにより、前記複数の肩パッド（３１、３２）の中で隣り合う肩生地（２１）の表側に配置された肩パッドと裏側に配置された肩パッドとに重なり領域を形成した。
2016174773.tif 000002
【特許請求の範囲】
【請求項１】
首元から肩先に向かって並列する複数の肩パッドと、この複数の肩パッドを表側と裏側に区分けする肩生地と、を備え、  前記肩生地は、前記複数の肩パッドが並列する方向への折り畳みを許容する、折り畳み領域を有し、  前記折り畳み領域の折り畳みにより、前記複数の肩パッドの中で隣り合う肩生地の表側に配置された肩パッドと裏側に配置された肩パッドとに重なり領域が形成される上衣。
【請求項２】
前記複数の肩パッドの数は３以上である請求項１に記載の上衣。
【請求項３】
前記肩生地の表側と裏側に設けられた前記複数の肩パッドを個別に収納する袋部をさらに備え、  前記袋部を前記肩生地に固定する固定部を有し、  前記肩生地の表側と裏側に設けられた前記袋部の少なくとも一つを前記肩生地に対して離反可能に固定し、  前記表側に配置された袋部の前記肩生地への固定部と、前記裏側に配置された袋部の前記肩生地への固定部との間の領域が前記折り畳み領域である請求項１又は２記載の上衣。
【請求項４】
前記肩生地の表側の袋部を、前記肩生地に対して離反不能に固定したことを特徴とする請求項３に記載の上衣。
【請求項５】
前記複数の肩パッドは、それぞれ肩の前後方向に延びる中心軸が首元から肩先に向かって外側に湾曲する形状である請求項１〜４のいずれかに記載の上衣。
【請求項６】
前記複数の肩パッドが、前記肩生地が折り畳まれる前の状態において、互いに重なり領域を有する請求項１〜５のいずれかに記載の上衣。
【請求項７】
前記複数の肩パッドが、肩生地が折り畳まれる前の状態において、前記複数の肩パッドの中で隣り合う肩パッドとの間に隙間を有するように並んで配置されている請求項１〜６のいずれかに記載の上衣。
【請求項８】
前記隙間は、前記複数の肩パッドのうち、隣り合う肩パッド同士の少なくとも１つの肩パッドに設けた凹部によって形成されている請求項７に記載の上衣。
【請求項９】
前記複数の肩パッドの少なくとも一つが、通気孔を有している請求項１〜８のいずれかに記載の上衣。
【発明の詳細な説明】
【技術分野】
【０００１】  この発明は、上衣に係り、ラグビー等の運動において、外部からの衝撃に対して装着者を保護する上衣に関するものである。
【背景技術】
【０００２】  ラグビーといったタックルをするような競技では、肩の受傷が多いといわれている。通常、タックルをする際に、選手は相手を掴む姿勢をとり、自らの肩を相手へと接触させる。全力走で相手に向かっていき、非常に速いスピードのまま相手に接触することも多い。このため、肩部に非常に大きな負荷がかかりやすく、これが受傷となる大きな要因のひとつである。【０００３】  装着時の動作のし易さを確保しつつ、関節部分に対する外部からの衝撃を緩和するラグビー用衣類が特許文献１に提案されている。このラグビー用衣類は、図２１に示すように、衣類本体１２０と、衣類本体１２０に取り付けられ、装着者の関節部を覆うように関節部の両側に設けられた保護部１５１、１５２とを備え、保護部１５１と保護部１５２とは互いに対して可動であり、保護部１５１と保護部１５２との一部同士が重なるように配置されている。【０００４】  図２１に示すように、保護部１５１の周縁部のうち、保護部１５２と対向する部分は、衣類本体１２０に縫着されず、保護部１５１と衣類本体１２０とによって、保護部１５２の少なくとも一部を受け入れ可能な袋部１５０が形成されている。【０００５】  そして、装着者が腕を上げた場合には、保護部１５２の先端部が袋部１５０内に入り込むことで、保護部１５２と保護部１５１とが衝突することが抑制されている。これにより、装着者が腕を上げる際に、保護部１５１および保護部１５２が腕を上げる動作を阻害することが抑制されている。【０００６】  しかしながら、この特許文献１のものは、保護部１５１、保護部１５２が衣類本体１２０の表側に設けられているために、保護部１５２の先端部が袋部１５０内に入り込まずに、保護部１５１に上に乗り上げてしまう虞がある。【０００７】  保護部１５２の先端が保護部１５１の上に乗り上げてしまうと、保護部１５２を袋部１５０内に収容する必要があり、その作業が煩わしい。特に、試合中においては、このような事態が生じることは避ける必要がある。
【先行技術文献】
【特許文献】
【０００８】
【特許文献１】特開２００８−３０８８００号公報
【発明の概要】
【発明が解決しようとする課題】
【０００９】  この発明は、装着者（選手）が腕を上げる際に、スムーズに肩を動かすことができる肩パッド付きの上衣を提供することを課題とする。
【課題を解決するための手段】
【００１０】  この発明の一態様に係る上衣は、首元から肩先に向かって並列する複数の肩パッドと、この複数の肩パッドを表側と裏側に区分けする肩生地と、を備え、前記肩生地は、前記複数の肩パッドが並列する方向への折り畳みを許容する、折り畳み領域を有し、前記折り畳み領域の折り畳みにより、前記複数の肩パッドの中で隣り合う肩生地の表側に配置された肩パッドと裏側に配置された肩パッドとに重なり領域が形成される。【００１１】  また、複数の肩パッドの数は３以上にすることができる。【００１２】  また、前記肩生地の表側と裏側に設けられた前記複数の肩パッドを個別に収納する袋部をさらに備え、前記袋部を前記肩生地に固定する固定部を有し、前記肩生地の表側と裏側に設けられた前記袋部の少なくとも一つを前記肩生地に対して離反可能に固定し、前記表側に配置された袋部の前記肩生地への固定部と、前記裏側に配置された袋部の前記肩生地への固定部との間の領域が前記折り畳み領域とする。【００１３】  また、前記肩生地の表側の袋部を、肩生地に対して離反不能に固定することができる。【００１４】  前記複数の肩パッドは、それぞれ肩の前後方向に延びる中心軸が首元から肩先に向かって外側に湾曲する形状にすればよい。【００１５】  また、前記複数の肩パッドが、肩生地が折り畳まれる前の状態において、互いに重なり領域を有するように構成できる。【００１６】  また、前記複数の肩パッドが、肩生地が折り畳まれる前の状態において、前記複数の肩パッドの中で隣り合う肩パッドとの間に隙間を有するように並んで配置することができる。【００１７】  前記隙間は、前記複数の肩パッドの中で隣り合う肩パッドの中で少なくとも１つの肩パッドに設けた凹部によって形成すればよい。【００１８】  また、前記複数の肩パッドの少なくとも一つに、通気孔を設ければよい。
【発明の効果】
【００１９】  上記の構成を有する上衣によれば、隣り合う肩パッドが肩生地を介してスライドすることになり、肩パッドを滑らかにスライドさせることができる。これにより、肩の広範な動きによる皮膚の伸縮や筋の隆起に対する肩パッドの追従が可能となり、身体へのストレスとなる圧迫も軽減することができる。
【図面の簡単な説明】
【００２０】
【図１】この発明の実施形態に係る上衣の正面図である。
【図２】この発明の実施形態に係る上衣の背面図である。
【図３】この発明の実施形態に係る上衣において、肩部分を拡大した正面図である。
【図４】この発明の実施形態に係る上衣において、外皮部と肩パッドを外した状態を示す模式図である。
【図５】この発明の実施形態に係る上衣において、肩生地の裏側に配置される袋部内に収容された肩パッド部を示すために、肩生地を取り除いた状態を示す模式図である。
【図６】この発明の実施形態に係る上衣において、肩パッドと肩生地の関係をわかりやすく単純化した模式図である。
【図７】この発明の実施形態に係る上衣において、肩パッドと肩生地の関係をわかりやすく単純化した模式図である。
【図８Ａ】選手が腕を下げている状態を示す模式図である。
【図８Ｂ】肩関節外転時の状態を示す模式図である。
【図９】この発明の第２の実施形態に係る上衣において、肩部分を拡大した正面図である。
【図１０】選手が腕を横に上げた時の皮膚の縮む方向を示す模式図である。
【図１１】この発明の第２の実施形態に係る上衣において、皮膚の縮む方向と直交する線と肩パッドの関係を示す模式図である。
【図１２】肩生地に、肩パッドを固定する他の態様を示す模式図である。
【図１３】肩生地に、肩パッドを固定する他の態様を示す模式図である。
【図１４】肩生地に、肩パッドを固定する他の態様を示す模式図である。
【図１５】肩生地に、肩パッドを固定する他の態様を示す模式図である。
【図１６】この発明の第３の実施形態に係る上衣において、肩部分を拡大した正面図である。
【図１７】この発明の第３の実施形態に係る上衣において、肩パッドと肩生地の関係をわかりやすく単純化した模式図である。
【図１８】肩生地に、肩パッドを固定する他の態様を示す模式図である。
【図１９】比較例の肩パッドと肩生地の関係をわかりやすく単純化した模式図である。
【図２０】比較例の肩パッドと肩生地の関係をわかりやすく単純化した模式図である。
【図２１】従来の上衣を示す正面図である。
【発明を実施するための形態】
【００２１】  以下、この発明の実施形態の上衣について図面を参照しながら詳細に説明する。この実施形態の上衣は、例えば、ラグビー用上衣である。図１は、この実施形態の上衣の正面図、図２は、同背面図、図３は、肩部分を拡大した正面図である。
【００２２】  この図１から図３に示すように、ラグビー用上衣１は、伸縮可能な衣類本体２に、首元から肩先に向かって複数の肩パッドが設けられており、この実施形態では、２個の肩パッド３１、３２が並列して設けられている。肩パッド３１、３２は、衝撃を吸収する材料、例えば、ラバー、エチレン・酢酸ビニル共重合樹脂、ポリエチレン、ウレタン等の発泡体が用いられる。なかでもポリエチレンの発泡体を用いれば、肩パッドの厚みを薄くしつつ衝撃を十分に吸収でき、耐久性にも優れる。よって肩パッドの材料としてはポリエチレンの発泡体を用いることが好ましい。肩パッドの厚みは、例えば、５ｍｍ〜１０ｍｍである。肩パッド３１、３２は、例えば、胸鎖関節、肩鎖関節、肩甲上腕関節などの関節を覆うように、その大きさ、形状、位置などが設定される。これにより外部から衝撃力が加えられたとしても、装着者に伝達される衝撃力を低減することができる。また、肩パッド３１、３２の断面形状は、例えば、長方形などの矩形状である。肩パッド３１、３２の断面形状が矩形状など角部を有する形状である場合、その角部を面取り処理するか、丸みを帯びるように加工処理しておくことが好ましい。後述するように肩パッド３１と肩パッド３２とはスライドして重なるが、上記のように角部を処理することで、スライドの際に両者の引っかかりを抑制してスムーズにスライドさせやすくなる。
【００２３】  ２個の肩パッド３１、３２は、衣類本体２の肩生地２１により表側と裏側に区分けされている。
【００２４】  ２個の肩パッド３１、３２が並列する方向の肩生地２１には、肩パッド３１、３２が並列する方向への折り畳みを許容する折り畳み領域５が設けられる。
【００２５】  この実施形態においては、肩先（肩峰）側に位置する肩パッド３１が肩生地２１の表側に配置され、首元側に位置する肩パッド３２が肩生地２１の裏側に配置される。
【００２６】  表側に配置される肩パッド３１は、衣類本体２と同質材料からなる外皮部２５と肩生地２１との間に設けられた袋部４１内に収容される。外皮部２５は、肩生地２１の表側に肩パッド３１を配置し、この肩パッド３１を被覆した後、外皮部２５の全周囲が肩生地２１に固定される。
【００２７】  図４は、外皮部２５と肩パッド３１を外した状態を示している。図４に示すように、肩パッド３１を肩生地２１の表側に配置し、破線２３ａで示す位置に、外皮部２５の外周を合わせて、外皮部２５の周囲を縫い合わせる。この実施形態では、外皮部２５の周囲を縫合部２３で肩生地２１に縫い合わせて固定している。この外皮部２５と肩生地２１とで形成される袋部４１内に収容された肩パッド３１は、肩生地２１に対して離反不能に固定されることになる。ここで、離反不能とは、肩パッド３１が直接肩生地２１に固定された状態だけでなく、肩パッド３１が肩生地２１から浮き上がらずに、外皮部２５と肩生地２１との間に形成される袋部４１に収容された状態で、一体に動く状態を含む。
【００２８】  図６、図７は、この実施形態の肩パッドと肩生地の関係をわかりやすく単純化した模式図である。肩生地２１の表側に縫い付けられる袋部４１は、外皮部２５の全周囲が肩生地２１に縫い合わされ、その縫合部２３が固定部４１ａとなる。この固定部４１ａは、肩生地２１に固定されればよく、縫い合わせる以外に、面ファスナーなどの他の固定方法を適用することができる。
【００２９】  一方、裏側に配置される肩パッド３２は、袋部４２内に収容され、肩生地２１に対して離反可能に固定される。図５は、肩生地の裏側に配置される袋部内に収容された肩パッド部を示すために、肩生地を取り除いた状態で記載している。
【００３０】  この実施形態では、この袋部４２は、一側端が首元の襟２２の近傍において肩生地２１に縫い合わされて、袋部４２の一部が肩生地２１に固定される。すなわち、袋部４２は、首元の襟２２の近傍の縫合部２４で縫い合わされ、肩生地２１に対して離反可能に固定される。この結果、袋部４２は、肩生地２１からはぶら下がった状態で固定されている。ここで、離反可能とは、肩生地２１に固定した箇所以外は、肩生地２１から自由に離れることができることを意味している。肩生地２１に一部が縫い付けられた袋部４２の縫合部２４が袋部４２の固定部４２ａとなる。この固定部４２ａは、肩生地２１に固定されればよく、縫い合わせる以外に、面ファスナーなどの他の固定方法を適用することができる。
【００３１】  肩生地２１の袋部４２が固定された固定部４２ａから袋部４１が固定された固定部４１ａまでの間が折り畳み領域５になる。すなわち相対する固定部４２ａと固定部４１ａとの間の領域が折り畳み領域５である。
【００３２】  図８Ａは、選手７が腕７３を下げている状態を示し、図８Ｂは、肩関節外転時、すなわち、腕７３を横に上げる時を示している。図８Ａで示す状態では、図６に示すように、肩パッド３１、３２は、肩に沿って配設されている。そして、図８Ｂで示すように、肩関節外転時、すなわち、腕を横に上げる時には、図７に示すように、隣り合う肩パッド３１、３２が肩生地２１を介してスライドし、折り畳み領域５が折り畳まれ、肩パッド３１、３２が重なり合う重なり領域５１が形成される。
【００３３】  このように、この実施形態では、隣り合う肩パッド３１、３２が肩生地２１を介してスライドすることになり、滑らかに肩パッド３１、３２がスライドして重なり合うことができる。
【００３４】  ここで本実施形態の効果を図１９、図２０の模式図に示した比較例と対比して説明する。図１９、図２０は、装着者７の首元７２から肩先（肩峰）７１に向かって、複数の肩パッド１０１、１０１を肩生地の表側又は裏側の一方の面（ここでは表側の面）のみに並列に設けた例である。なお、図１９は腕を下げている状態（図８Ａ参照）であり、図２０は腕を横に上げた状態（図８Ｂ参照）である。
【００３５】  肩は人体で最も大きな自由度を持っており、肩の動作に伴う皮膚の伸縮および形状変化が大きい。しかしながら、図１９に示すように同じ面側に複数の肩パッド１０１、１０１を並べて配置した場合、皮膚の伸縮および形状変化にこれらの肩パッドが追従しきれない。具体的には、皮膚の圧縮に比べて肩パッドが十分に圧縮しない、または圧縮するために大きな力が必要となる。これにより生地と皮膚のずれや、肩パッドの人体への圧迫を引き起こしやすくなる。
【００３６】  例えば、腕を下げている状態（図１９）では、肩パッド１０１、１０１は肩に沿って配設されているが、腕を横に上げる状態（図２０）では、図中矢印Ｃで示すように肩上部の皮膚は圧縮し、肩先７１と首元７２の距離が短くなる。しかし、肩パッド１０１は素材の特性上、圧縮に限界があるため皮膚に比べて圧縮が小さい。そうすると、図中矢印Ｂで示すように肩パッド１０１のずれが生じたり、首元７２において矢印Ａ方向への力が加わるといったことが起こり、並列する肩パッド同士がぶつかって反発し合うこととなる。このことが装着者の肩または腕の動かしにくさを感じる要因となる。
【００３７】  これに対して、この実施形態の上衣では、隣り合う肩パッド３１、３２が肩生地２１を介してスライドすることになり、隣り合う肩パッド同士のぶつかりが抑制され、肩パッドを滑らかにスライドさせることができる。これにより、肩の広範な動きによる皮膚の伸縮や筋の隆起に対する肩パッド３１、３２の追従が可能となり、身体へのストレスとなる圧迫も軽減することができる。
【００３８】  折り畳み領域５を含む肩生地２１の繊維としては、一般的な衣服に使用される繊維であればどの繊維を用いてもよく、例えば、ポリエステル、ナイロン、レーヨンなどの化学繊維、綿、麻、絹などの天然繊維を使用することができる。なかでもナイロンを用いれば、折り畳み領域５における生地同士の摩擦が比較的小さく、肩パッド３１と肩パッド３２とがよりスムーズにスライドしやすくなる。また肩生地２１の生地の種類としては編物、織物のいずれも使用できる。
【００３９】  肩パッド３１、３２の主目的は、タックルする際の肩部の保護である。更に、保護が必要となるタックル時には相手を掴む必要があるため、腕を上げた姿勢となる。すなわち、身体保護の観点では、腕を下ろした状態における肩パッド３１、３２の重要度は低く、腕を上げた状態における重要度が高いと言える。そこで、この実施形態の構造では、腕を上げる動作によって肩パッド３１と肩パッド３２がスライドして、両肩パッド３１、３２が重なり合うため、個々の肩パッド３１、３２の厚みを抑えながらも、従来例と同等あるいはそれ以上の衝撃緩衝性を確保することが可能となる。換言すれば、肩パッドの衝撃緩衝性を維持または向上させながら、その厚みを抑えることができ、軽量かつ衝撃緩衝性に優れた肩パッド付の上衣を提供できる。
【００４０】  図９は、この発明の第２の実施形態を示す上衣において、肩部分を拡大した正面図である。上述の通り、腕を下ろした際の肩パッド３１、３２の重要度は低い。そのため、この第２の実施形態においては、肩パッド３１、３２の厚さを薄くして、肩生地２１が折り畳まれる前の状態において、すなわち、腕を下ろした際に、肩パッド３１、３２が互いに重なる重なり領域３７が形成されている。このように、肩生地２１が折り畳まれる前の状態において、重なり領域３７を予め設けておくことによって、腕を上げたときに肩パッド３１と肩パッド３２とがよりスムーズにスライドしやすくなる。
【００４１】  更に、腕を下ろした際に、隣り合う肩パッド３１、３２の間に隙間３６を形成している。この隙間３６は、隣り合う肩パッド３１、３２の中で少なくとも１つの肩パッドに設けた凹部によって形成すればよく、この実施形態では、肩パッド３１、３２の対向する位置にそれぞれ凹部３４、３５を設けてその間に隙間３６を設けている。そして、この隙間３６により、通気性の低い素材からなる肩パッド３１、３２を用いたとしても通気性を確保することが可能となり、例えば、汗による蒸れを抑えて着用者の着心地向上に寄与する。さらに、この第２の実施形態では、肩パッド３１に複数の通気孔３８を設けて通気性を上げている。もちろん肩パッド３２にも通気孔を設けてもよい。通気孔の形状は、円状、多角形状など任意の形状が可能である。また、通気孔の数は１つでもよい。
【００４２】  図１０は、選手が腕を横に上げた時の皮膚の縮む方向を示す模式図である。この図１０に示すように、腕を横に上げる時には、肩上部の皮膚は図中矢印方向に皮膚が縮み、肩先（肩峰）７１と首元７２の距離が短くなる。この皮膚が縮む方向と直交する方向を繋ぐと図１０に示すように、首元から肩先に向かって外側にやや張り出すように緩やかに湾曲した線７５のようになる。この線７５を中心として皮膚が双方から縮む。そこで、肩パッド３１、３２をその中心軸（肩の前後方向に延びる中心軸）が首元から肩先に向かって外側に張り出すように湾曲した形状とすれば、腕を上げたときに線７５に沿って肩パッド３１、３２が効率よく重なりやすくなる。したがって、肩パッド３１、３２の形状は、肩の前後方向に延びる中心軸が首元から肩先に向かって外側に張り出すように湾曲していることが好ましい。ここで、肩の前後方向に延びる中心軸とは、肩パッドの首元側の縁と肩先側の縁とから等距離に位置する点同士を繋いで形成される線に沿った軸である。なお、図１１には、肩パッド３１、３２の配置状態を分かりやすくするために、肩生地２１に肩パッド３１、３２だけを配置した様子を表している。
【００４３】  次に、肩生地に肩パッドを固定する他の態様につき、図１２〜図１５を参照して説明する。
【００４４】  図１２の模式図で示したものは、首元側に位置する肩パッド３２が肩生地２１の表側に配置され、この肩パッド３２が袋部４２内に収容される。袋部４２の全周囲が肩生地２１に固定部４２ａに固定される。袋部４２内に収容された肩パッド３２は、肩生地２１に対して離反不能に固定されることになる。
【００４５】  ところで肩生地２１の表側に配置された袋部４２は、例えば、ラグビー競技において相手選手から掴まれるなど外部の影響を受けやすく、裏側に配置された袋部４１に比べ破損がおきやすい。そこで、図１２に示すように表側に配置された袋部４２を肩生地２１に対して離反不能に固定しておけば、相手選手から捕まれにくくなり、表側に配置された袋部４２の破損を抑制することができる。
【００４６】  一方、裏側に配置される肩パッド３１は、袋部４１内に収容され、この袋部４２は、肩先側の一側端が肩生地２１に固定された固定部４１ａとなる。この袋部４１は、肩生地２１に対して離反可能に固定され、肩生地２１からはぶら下がった状態で固定されている。すなわち、図１２に示した上衣は肩生地２１の表側に配置された袋部４２が肩生地２１に対して離反不能に固定され、裏側に配置された袋部４１が肩生地２１に対して離反可能に固定されている。
【００４７】  肩生地２１の袋部４２が固定された固定部４２ａから袋部４１の固定された固定部４１ａまでの間が折り畳み領域５になる。
【００４８】  図１３の模式図で示したものは、肩先側に位置する肩パッド３１を肩生地２１より表側に配置し、この肩パッド３１は、袋部４１内に収容され、この袋部４１は、肩先側の一側端が肩生地２１に固定された固定部４１ａとなる。この袋部４１は、肩生地２１に対して離反可能に固定されている。
【００４９】  一方、首元側の肩パッド３２は、肩生地２１の裏側に配置され、肩パッド３２は袋部４２内に収容され、この袋部４２は、首元側の一側端が肩生地２１に固定された固定部４２ａとなる。この袋部４２は、肩生地２１に対して離反可能に固定され、肩生地２１からはぶら下がった状態で固定されている。
【００５０】  肩生地２１の袋部４２が固定された固定部４２ａから袋部４１の固定された固定部４１ａまでの間が折り畳み領域５になる。
【００５１】  図１４の模式図で示したものは、首元側に位置する肩パッド３２を肩生地２１の表側に配置している。この肩パッド３２は、袋部４２内に収容されている。この袋部４２は、首元側の一側端が肩生地２１に固定された固定部４２ａとなる。この袋部４１は、肩生地２１に対して離反可能に固定され、肩生地２１からはぶら下がった状態で固定されている。
【００５２】  一方、肩先側の肩パッド３１は、肩生地２１の裏側に配置されている。肩パッド３１は袋部４１内に収容されている。この袋部４１は、肩先側の一側端が肩生地２１に固定された固定部４１ａとなる。この袋部４１は、肩生地２１に対して離反可能に固定されている。
【００５３】  肩生地２１の袋部４２が固定された固定部４２ａから袋部４１の固定された固定部４１ａまでの間が折り畳み領域５になる。
【００５４】  図１５の模式図で示したものは、肩先側に位置する肩パッド３１を肩生地２１より表側に配置し、この肩パッド３１は、袋部４１内に収容され、この袋部４２は、中央部が肩生地２１に固定された固定部４１ａとなる。この袋部４１は、肩生地２１に対して離反可能に固定されている。
【００５５】  一方、首元側の肩パッド３２は、肩生地２１の裏側に配置され、肩パッド３２は袋部４２内に収容され、この袋部４２は、中央部が肩生地２１に固定された固定部４２ａとなる。この袋部４２は、肩生地２１に対して離反可能に固定されている。
【００５６】  肩生地２１の固定部４２ａから固定部４１ａまでの間が折り畳み領域５になる。
【００５７】  次に、この発明の第３の実施形態につき、図１６および図１７を参照して説明する。上記した実施形態では、２個の肩パッドを用いたが、肩パッドは２個以上であればよい。この第３の実施形態では、３個の肩パッド３１、３２、３３が配置されている。
【００５８】  ３個の肩パッド３１、３２、３３は、衣類本体２の肩生地２１により、隣り合う肩パッドが表側と裏側に区分けされている。
【００５９】  ３個の肩パッド３１、３２、３３が並列する方向の肩生地２１には、肩パッド３１、３２、３３が並列する方向への折り畳みを許容する折り畳み領域５が設けられる。
【００６０】  この実施形態においては、中央に位置する肩パッド３１が肩生地２１の表側に配置され、肩先（肩峰）側に位置する肩パッド３３と首元側に位置する肩パッド３２が肩生地２１の裏側に配置される。
【００６１】  中央に配置される肩パッド３１は、衣類本体２と同質材料からなる外皮部２５と肩生地２１との間に設けられた袋部４１内に収容される。外皮部２５は、肩生地２１の表側に肩パッド３１を配置し、この肩パッド３１を被覆した後、外皮部２５の全周囲が肩生地２１に固定される。
【００６２】  この実施形態では、外皮部２５の周囲を縫合部２３で肩生地２１に縫い合わせて固定している。この外皮部２５と肩生地２１とで形成される袋部４１内に収容された肩パッド３１は、肩生地２１に対して離反不能に固定されることになる。
【００６３】  図１７は、この実施形態の肩パッドと肩生地の関係をわかりやすく単純化した模式図である。肩生地２１の表側に縫い付けられる袋部４１は、外皮部２５の全周囲が肩生地２１に縫い合わされ、その縫合部２３が固定部４１ａとなる。この固定部４１ａは、肩生地２１に固定されればよく、縫い合わせる以外に、面ファスナーなどの他の固定方法を適用することができる。
【００６４】  一方、裏側に配置される肩パッド３２は、袋部４２内に収容され、肩生地２１に対して離反可能に固定される。この実施形態では、この袋部４２は、一側端が、首元の襟２２の近傍において、肩生地２１に縫い合わされて、袋部４２の一部が肩生地２１に固定される。すなわち、袋部４２は、首元の襟２２の近傍の縫合部２４で縫い合わされ、肩生地２１に対して離反可能に固定される。
【００６５】  裏側に配置される肩先側の肩パッド３３は、袋部４３内に収容され、肩生地２１に対して離反可能に固定される。この実施形態では、この袋部４３は、一側端が、肩先側において、肩生地２１に縫い合わされて、袋部４３の一部が肩生地２１に固定される。すなわち、袋部４３は、肩先側で縫い合わされ、肩生地２１に対して離反可能に固定される。
【００６６】  中央部に位置する肩パッド３１は、肩生地２１の表側に配置される。この肩パッド３１が袋部４１内に収容され、袋部４２の全周囲が肩生地２１に固定部４１ａで固定される。袋部４１内に収容された肩パッド３２は、肩生地２１に対して離反不能に固定されることになる。
【００６７】  肩生地２１の中央部の袋部４１が固定された固定部４１ａから袋部４２の固定された固定部４２ａと、袋部４３の固定された固定部４３ａまでの間がそれぞれ折り畳み領域５になる。
【００６８】  このように肩パッドの数を増やすことによって、例えば、保護する部分の面積を増やすなど着用者のニーズにより合った場所に肩パッドを配置しやすくなるといった利点がある。
【００６９】  次に、肩生地に、肩パッドを固定する他の態様につき、図１８を参照して説明する。
【００７０】  図１８の模式図で示すように、中央部に位置する肩パッド３１は、肩生地２１の裏側に配置される。この肩パッド３１が袋部４１内に収容され、袋部４２の中央部が肩生地２１に固定部４１ａに固定される。袋部４１内に収容された肩パッド３２は、肩生地２１に対して離反可能に固定されることになる。
【００７１】  首元側に位置する肩パッド３２は肩生地２１の表側に配置されている。肩パッド３２は、袋部４２内に収容され、この袋部４２の全周囲が肩生地２１に固定部４２ａに固定される。袋部４２内に収容された肩パッド３２は、肩生地２１に対して離反不能に固定されることになる。
【００７２】  肩先側に位置する肩パッド３３は肩生地２１の表側に配置されている。肩パッド３３は、袋部４３内に収容され、この袋部４３の全周囲が肩生地２１に固定部４３ａに固定される。袋部４１内に収容された肩パッド３３は、肩生地２１に対して離反不能に固定されることになる。
【００７３】  肩生地２１の中央部の袋部４１が固定された固定部４１ａから袋部４２の固定された固定部４２ａと、袋部４３の固定された固定部４３ａまでの間がそれぞれ折り畳み領域５になる。
【００７４】  上記した実施形態においては、肩パッドを袋部内に収容して、肩生地に固定しているが、袋部を用いずに、直接、肩パッドを肩生地に離反不能または離反可能に固定してもよい。
【００７５】  また、上記の実施形態ではラグビー用の上衣を例に説明したが、ラグビー用以外の上衣にも本発明は適用可能である。
【００７６】  今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００７７】  １  上衣  ２  衣類本体  ５  折り畳み領域  ２１  肩生地  ２３、２４  縫合部  ２５  外皮部  ３１、３２  肩パッド  ４１、４２  袋部  ４１ａ、４２ａ  固定部
【図１】
2016174773.tif 000003
【図２】
2016174773.tif 000004
【図３】
2016174773.tif 000005
【図４】
2016174773.tif 000006
【図５】
2016174773.tif 000007
【図６】
2016174773.tif 000008
【図７】
2016174773.tif 000009
【図８Ａ】
2016174773.tif 000010
【図８Ｂ】
2016174773.tif 000011
【図９】
2016174773.tif 000012
【図１０】
2016174773.tif 000013
【図１１】
2016174773.tif 000014
【図１２】
2016174773.tif 000015
【図１３】
2016174773.tif 000016
【図１４】
2016174773.tif 000017
【図１５】
2016174773.tif 000018
【図１６】
2016174773.tif 000019
【図１７】
2016174773.tif 000020
【図１８】
2016174773.tif 000021
【図１９】
2016174773.tif 000022
【図２０】
2016174773.tif 000023
【図２１】
2016174773.tif 000024
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
肩生地を有する衣類本体と、この衣類本体の首元から肩先に向かって並列する複数の肩パッドと、を備えた上衣であって、
前記複数の肩パッドは、前記肩生地により前記衣類本体の表側に設けられる表側の肩パッドと前記衣類本体の裏側に設けられる裏側の肩パッドとに区分けされ、
前記肩生地は、前記複数の肩パッドが並列する方向への折り畳みを許容する、折り畳み領域を有し、
前記折り畳み領域の折り畳みにより、前記複数の肩パッドの中で隣り合う肩生地の表側に配置された肩パッドと裏側に配置された肩パッドとに重なり領域が形成される上衣。
【請求項２】
前記複数の肩パッドの数は３以上である請求項１に記載の上衣。
【請求項３】
前記肩生地の表側と裏側に設けられた前記複数の肩パッドを個別に収納する袋部をさらに備え、
この肩生地の表側と裏側に設けられた前記袋部の少なくとも一つを前記肩生地に対して離反可能に固定し、
前記表側に配置された袋部の前記肩生地への固定部と、前記裏側に配置された袋部の前記肩生地への固定部との間の領域が前記折り畳み領域である請求項１又は２記載の上衣。
【請求項４】
前記肩生地の表側の袋部を、前記肩生地に対して離反不能に固定したことを特徴とする請求項３に記載の上衣。
【請求項５】
前記複数の肩パッドは、それぞれ肩の前後方向に延びる中心軸が首元から肩先に向かって外側に湾曲する形状である請求項１〜４のいずれかに記載の上衣。
【請求項６】
前記複数の肩パッドが、前記肩生地が折り畳まれる前の状態において、互いに重なり領域を有する請求項１〜５のいずれかに記載の上衣。
【請求項７】
前記複数の肩パッドが、肩生地が折り畳まれる前の状態において、前記複数の肩パッドの中で隣り合う肩パッドとの間に隙間を有するように並んで配置されており、
前記隙間は、前記複数の肩パッドのうち、隣り合う肩パッド同士の互いに向かい合う側に位置する側面の少なくとも一方側に設けた凹部によって形成されている請求項１〜６のいずれかに記載の上衣。
【請求項８】
前記表側の袋部は、前記肩生地に対してその周囲全体が縫合または面ファスナーにより固定されている請求項４に記載の上衣。
【請求項９】
前記複数の肩パッドの少なくとも一つが、通気孔を有している請求項１〜８のいずれかに記載の上衣。
【請求項１０】
前記肩生地はナイロンからなる請求項１〜９のいずれかに記載の上衣。
【国際調査報告】
2016174773.tif 000025
2016174773.tif 000026
2016174773.tif 000027
2016174773.tif 000028